(57)【要約】【課題】記憶装置に記憶された画像データの閲覧を容易にする画像記録表示方法、プログラム、及び、画像記録表示装置を提供する。【解決手段】制御部２０を有し、画像データ５０及び当該画像データ５０の情報を管理する集計情報５１を記憶する記憶装置５にアクセス可能であるとともに、入力装置３からの入力情報を受けて、出力装置４に画像データ５０を出力可能なコンピュータ２により実行される画像記録表示方法であって、制御部２０により、記憶装置５に記憶されている画像データ５０うち、入力装置３から入力された入力情報に基づいて選択された画像データ５０を出力装置４に表示し、当該画像データ５０の閲覧情報を集計ファイル５１に記憶するとともに、入力装置４より入力された当該画像データ５０の関心度を、集計ファイル５１に記憶するように構成する。【選択図】図１
2010028491.tif 000002
【特許請求の範囲】
【請求項１】
制御部を有し、画像データ及び当該画像データの情報を管理する集計情報を記憶する記憶装置にアクセス可能であるとともに、入力装置からの入力情報を受けて、出力装置に前記画像データを表示可能なコンピュータにより実行される画像記録表示方法であって、
前記制御部により、
前記記憶装置に記憶されている前記画像データうち、前記入力装置から入力された入力情報に基づいて選択された画像データを前記出力装置に表示し、
前記画像データが前記出力装置に表示されているときに、当該画像データの閲覧情報を当該画像データと関連付けて前記集計情報として記憶するとともに、前記入力装置より入力された当該画像データの関心度を、当該画像データと関連付けて前記集計情報に記憶する画像記録表示方法。
【請求項２】
前記閲覧情報は、前記画像データの閲覧回数である請求項１に記載の画像記録表示方法。
【請求項３】
前記閲覧情報は、前記画像データが前記表示装置に表示されている時間の累積値である請求項１または２に記載の画像記録表示方法。
【請求項４】
前記制御部により、
前記関心度の昇順に前記画像データを前記出力装置に出力する請求項１〜３いずれか一項に記載の画像記録表示方法。
【請求項５】
請求項１〜４いずれか一項に記載の画像記録表示方法をコンピュータに実行させるためのプログラム。
【請求項６】
入力装置と、
出力装置と、
請求項５に記載のプログラムが実行されるコンピュータと、を有する画像記録表示装置。
【発明の詳細な説明】
【技術分野】
【０００１】
本発明は、画像記録表示方法、プログラム、及び、画像記録表示装置に関する。
【背景技術】
【０００２】
従来の画像記録表示装置では撮影した複数の画像データから必要な画像データを取捨選択するためには、画像データを閲覧してその内容を確認する必要や、予めユーザーが各画像データに対してお気に入り度のような情報を付加する必要があった。あるいは、ユーザーの操作履歴を記録し、画像データの検索に用いる構成もある（例えば、特許文献１参照）。
【特許文献１】特許第３３６０５９５号公報
【発明の開示】
【発明が解決しようとする課題】
【０００３】
しかしながら、この種の画像記録表示装置では、長期間の使用によって大量の画像データが蓄積されることが想定されるが、一定期間操作対象とならなかった画像データの関心度が下がってしまい、ユーザーの意図に沿った画像データが提示できないという課題があった。
【０００４】
本発明はこのような課題に鑑みてなされたものであり、ユーザーの画像データの閲覧履歴と、ユーザーの関心度入力とを組み合わせることで、記憶装置に記憶された画像データの閲覧を容易にする画像記録表示方法、プログラム、及び、画像記録表示装置を提供することを目的とする。
【課題を解決するための手段】
【０００５】
前記課題を解決するために、本発明に係る画像記録表示方法は、制御部を有し、画像データ及び当該画像データの情報を管理する集計情報を記憶する記憶装置にアクセス可能であるとともに、入力装置からの入力情報を受けて、出力装置に画像データを表示可能なコンピュータにより実行される画像記録表示方法であって、制御部により、記憶装置に記憶されている画像データうち、入力装置から入力された入力情報に基づいて選択された画像データを出力装置に表示し、画像データが出力装置に表示されているときに、当該画像データの閲覧情報を当該画像データと関連付けて集計情報として記憶するとともに、入力装置より入力された当該画像データの関心度を、当該画像データと関連付けて集計情報に記憶するように構成される。
【０００６】
このような画像記録表示方法において、閲覧情報は、画像データの閲覧回数であることが好ましい。または、閲覧情報は、画像データが表示装置に表示されている時間の累積値であることが好ましい。
【０００７】
また、このような画像記録表示方法は、制御部により、関心度の昇順に画像データを出力装置に出力するように構成されることが好ましい。
【０００８】
なお、本発明に係る画像記録表示方法をコンピュータに実行させるためのプログラムを作成することができ、このプログラムは、例えばフレキシブルディスク、ＣＤ−ＲＯＭ、光磁気ディスク、半導体メモリ、ハードディスク等の記憶媒体又は記憶装置に格納される。また、ネットワークを介してディジタル信号として配信される場合もある。このとき、中間的な処理結果はメインメモリ等の記憶装置に一時保管される。
【０００９】
また、本発明に係る画像記録表示装置は、入力装置と、出力装置と、上述のプログラムが実行されるコンピュータと、を有して構成される。
【発明の効果】
【００１０】
本発明に係る画像記録表示方法、プログラム、及び、画像記録表示装置を以上のように構成すると、ユーザーの画像データの閲覧履歴と、ユーザーの関心度入力とを組み合わせることで、記憶装置に記憶された画像データの閲覧を容易にすることができる。
【発明を実施するための最良の形態】
【００１１】
以下、本発明の好ましい実施形態について図面を参照して説明する。まず、図１を用いて、本発明に係る画像記録表示方法が実装された画像記録表示装置の構成について説明する。この画像記録表示装置１は、ＣＰＵや、ＲＡＭ、ＲＯＭ等のメモリを有し、プログラムを実行するように構成されたコンピュータ２と、このコンピュータ２に接続された、キーボードやマウス等からなる入力装置３、ディスプレイ等からなる出力装置４、及び、ハードディスクやフラッシュメモリ等からなる記憶装置５と、から構成される。このコンピュータ２は、プログラムがＣＰＵ等で実行されることにより動作する制御部２０を有しており、後述する画像記憶表示処理が行われている。また、記憶装置５には、複数の画像データ５０とこの画像データ５０を制御部２０の処理により管理するための集計情報（集計ファイル５１）とが記憶されている。なお、これらの画像データ５０及び集計ファイル５１は、所定のディレクトリに格納されていても良いし、任意のディレクトリに格納されていても良い。
【００１２】
それでは、図２〜図１０を用いて、制御部２０による画像記憶表示処理について説明する。
【００１３】
［画像データの管理］
まず、画像データを管理するための処理について、図２に沿って説明する。コンピュータ２において制御部２０が起動されると、図３に示すように、表示装置４に画面Ｇが表示される。この画面Ｇの上部には操作メニューＧ１が設けられており、例えば、入力装置３のマウス等を用いてこの操作メニューＧ１から「開く」を選択すると、記憶装置５の予め設定されたフォルダが開かれ、そのフォルダ内にある集計ファイル５１が読み込まれる（ステップＳ１００）。図４は、集計ファイル５１のデータ構造を示しており、画像データ５０のパス名（ファイル名）が記憶されるパス名カラム５１ａと、その画像データ５０に対する、閲覧回数が記憶される閲覧回数カラム５１ｂと、閲覧時間が記憶される閲覧時間カラム５１ｃと、利用者により入力される関心度が記憶される関心度カラム５１ｄと、から構成され、記憶装置５の所定のフォルダ内に格納された画像データ５０がこの集計ファイル５１により管理される。なお、集計ファイル５１から読み込んだ情報は、制御部２０の内部（例えば、ＲＡＭ等）に一時的に記憶される。
【００１４】
ステップＳ１００でフォルダ内集計ファイル５１が無かった場合は（ステップＳ１０１）、記憶装置５の当該フォルダ内に集計ファイル５１を作成し、そのフォルダ内に記憶されている画像データ５０のパス名を取得して、集計ファイル５１に画像データ５０毎にレコードを作成して記憶する（ステップＳ１０２）、一方、既に所定のフォルダ内に集計ファイル５１がある場合は、当該フォルダ内に記憶されている画像データ５０のパス名を取得し、集計ファイル５１に記憶されていない画像データ５０について当該パス名を含むレコードを追加し、反対に集計ファイル５１にパス名が記憶されているが、当該フォルダ内に存在しない画像データ５０がある場合は、そのパス名を含むレコードを集計ファイル５１から削除する（ステップＳ１０３）。そして、画面Ｇの左側部分に設けられたサムネイル表示領域Ｇ２に、記憶装置５の所定のフォルダ内に記憶されて、かつ、集計ファイル５１で管理されている画像データ５０のサムネイル画像Ｇ２ａを、例えば、上下方向に並べて表示する（ステップＳ１０４）。なお、このサムネイル画像Ｇ２ａは、ステップＳ１０４において画像データ５１から作成して表示しても良いし、ＪＰＥＧ形式のファイルのように内部にサムネイル画像が属性情報として記憶されている場合には、その画像を使用しても良い。
【００１５】
［画像データの閲覧］
次に、このようにして集計ファイル５１を用いて制御部２０により管理されている画像データ５０の閲覧処理について、図６に沿って説明する。上述のように、画面Ｇのサムネイル表示領域Ｇ２に画像データ５０のサムネイル画像Ｇ２ａが表示されている状態で、マウス等の入力装置３により、いずれかのサムネイル画像Ｇ２ａを選択すると、選択されたサムネイル画像Ｇ２ａに対応する画像データ５０のパス名から、当該画像データ５０の属性情報(集計ファイル５１に記憶されている情報）を取得し（ステップＳ２００）、画面Ｇの右側に設けられた画像表示領域Ｇ３に、選択された画像データ５０と、その属性情報が表示される（ステップＳ２０１）。なお、図７には、当該画像データ５０が表示される画像領域Ｇ３ａと、この画像データ５０のパス名が表示されるパス名領域Ｇ３ｂと、閲覧回数及び閲覧時間が表示される閲覧情報領域Ｇ３ｃと、関心度が表示される関心度領域Ｇ３ｄとが設けられている場合を示している。
【００１６】
そして、制御部２０は、閲覧時間計測用のタイマーを起動し（ステップＳ２０２）、上述のステップＳ２００で読み出した属性情報のうち、閲覧回数に１を加算して、集計ファイル５１の当該画像データ５１に対応するレコードの閲覧回数カラム５１ｂに記憶する（ステップＳ２０３）。
【００１７】
このように、画像表示部Ｇ３にサムネイル表示領域Ｇ２で選択された画像データ５０の画像及び属性情報が表示されている状態で、制御部２０は、入力装置３の操作により関心度領域Ｇ３ｄに表示されている関心度の値の変更を受け付けるように構成されている。すなわち、制御部２０は、ユーザーからの関心度の変更を監視し（ステップＳ２０４）、変更が入力された場合には、この関心度領域Ｇ３ｄに表示されている関心度の値を変更して表示し（ステップＳ２０５）、さらに、その値を、集計ファイル５１の当該画像データ５１に対応するレコードの関心度カラム５１ｄに記憶する（ステップＳ２０６）。なお、関心度の値の変更方法として、例えば星印をマウス等で選択し信号を入力することで星印を消して関心度を下げ、星印の付いていない黒点付近をマウス等で選択して信号を入力することで星印を付けて関心度を上げる方法などがある。また、制御部２０は、この画像データ５０の閲覧が終了するか、若しくは、サムネイル表示領域Ｇ２において、他のサムネイル画像Ｇ２ａが選択されるのを監視し（ステップＳ２０７）、終了若しくは選択が無かった場合は、ステップＳ２０４に戻り、終了若しくは選択がされた場合は、タイマーを終了して当該画像データ５０の閲覧時間を算出し、集計ファイル５１の当該画像データ５０に対応するレコードの閲覧時間カラム５１ｃに記憶されている閲覧時間に、ステップＳ２０８で算出した時間を加算して記憶する（ステップＳ２０９）。すなわち、この閲覧時間カラム５１ｃには、画像データ５０毎の閲覧時間の累積値が記憶される。なお、サムネイル表示領域Ｇ２において、他のサムネイル画像Ｇ２ａが選択されたときの処理は、上述のステップＳ２００〜Ｓ２０９と同様である。
【００１８】
［画像データのソート］
最後に、以上のようにして集計ファイル５１により管理されている画像データ５０の属性情報を用いて、サムネイル表示領域Ｇ２に表示されるサムネイル画像Ｇ２ａの表示順序をソートする処理について図８に沿って説明する。図９に示すように、入力装置３により、画面Ｇの操作メニューＧ１からソートが選択されると、制御部２０は、記憶装置５の集計ファイル５１を読み込み（ステップＳ３００）、この集計ファイル５１に記憶されているレコードを、関心度が降順に並ぶようにソートする（ステップＳ３０１）。さらに、この関心度によるソートの順序を維持したまま、閲覧時間が降順に並ぶようにソートする（ステップＳ３０２）。つまり、集計ファイル５１に記憶されているレコードは、関心度が降順となるようにソートされ、関心度が同じ値のときは、閲覧時間が降順となるようにソートされる。そして、図１０に示すように、制御部２０は、このソート結果の順に、画面Ｇのサムネイル表示領域Ｇ２にサムネイル画像Ｇ２ａを表示する（ステップＳ３０３）。なお、このようにして、サムネイル表示領域Ｇ２においてサムネイル画像Ｇ２ａが入力装置３により選択されると、上述のように画像表示領域Ｇ３に当該サムネイル画像Ｇ２ａに対応する画像データ５０の画像が表示されるが、閲覧回数、閲覧時間及び関心度の表示方法及び変更方法については、上述の通りである。
【００１９】
このように、過去に画像データ５０を閲覧した履歴を集計ファイル５１に記憶しておき、この履歴に基づいてソートして表示することにより、画像データ５０が大量に記憶装置５に蓄積されていたとしても、関心度が高く閲覧時間の長い画像データ５０が優先してサムネイル表示領域Ｇ２に表示されるので、容易に目的の画像データ５０を閲覧することが可能になる。
【００２０】
なお、ここでは、関心度及び閲覧時間が降順となるように並び替えてサムネイル表示領域Ｇ２に表示する場合について説明したが、本発明がこの実施形態に限定されることはなく、例えば、記憶装置５に記憶されている画像データ５０を用いてスライドショーを表示するときに、集計ファイル５１に記憶されている履歴から、関心度が高く、また、閲覧回数が多い、又は、閲覧時間が長い画像データ５０を優先的に選択して表示するように構成することも可能である。また、本実施形態では、関心度を表示する例で説明したが、関心度を表示することなく、表示回数と表示時間とから集計ファイル５１に記憶されている関心度を自動的に設定及び更新しても良い。また、サムネイルを表示する例を示したが、複数のサムネイル画面と選択された画像データの１つの画像を表示する画面とを切り替えるようにしても良い。
【図面の簡単な説明】
【００２１】
【図１】画像記録表示装置の構成を示すブロック図である。
【図２】画像データの管理処理を示すフローチャートである。
【図３】起動時の画面の構成を示す説明図である。
【図４】集計情報の構成を示すデータ構造図である。
【図５】サムネイル画像を選択するときの画面を示す説明図である。
【図６】画像データの閲覧処理を示すフローチャートである。
【図７】画像データの内容が表示されたときの画面を示す説明図である。
【図８】画像データのソート処理を示すフローチャートである。
【図９】画像データのソートを指示するときの画面を示す説明図である。
【図１０】ソート結果が表示された画面を示す説明図である。
【符号の説明】
【００２２】
１  画像記録表示装置    ２  コンピュータ    ３  入力装置
４  出力装置    ５  記憶装置    ２０  制御部
５０  画像データ    ５１  集計ファイル（集計情報）
【図１】
2010028491.tif 000003
【図２】
2010028491.tif 000004
【図３】
2010028491.tif 000005
【図４】
2010028491.tif 000006
【図５】
2010028491.tif 000007
【図６】
2010028491.tif 000008
【図７】
2010028491.tif 000009
【図８】
2010028491.tif 000010
【図９】
2010028491.tif 000011
【図１０】
2010028491.tif 000012